(57)【特許請求の範囲】
【請求項１】
ユーザ装置（ＵＥ）、第１の基地局及び第２の基地局を備え、前記ＵＥが前記第１の基地局に接続されている通信システムにおいて同時通信を処理する方法であって、
前記方法は、
前記第１の基地局が前記ＵＥと第１のセキュリティキー及び第１のセキュリティアルゴリズムを使用して通信するステップ、
前記第１の基地局が、前記第２の基地局のセルを前記ＵＥに割り当てることを決定するステップ、
前記第１の基地局が、前記ＵＥと通信するための前記第２の基地局の無線リソースの割り当てを前記第２の基地局に要求するために、前記決定に応答して前記第２の基地局にセル追加要求メッセージを送信するステップ、
前記セル追加要求メッセージに応答して、前記第１の基地局が前記第２の基地局からセル追加応答メッセージを受信するステップ；
前記第１の基地局が、前記ＵＥに、第１の無線リソース制御（ＲＲＣ）メッセージを送信するステップであり、前記第１のＲＲＣメッセージは、第２のセキュリティキーについての情報及び第２のセキュリティアルゴリズムに関する情報を含み、且つ前記第２のセキュリティキーは、前記ＵＥと前記第２の基地局との間の通信に使用され且つ前記第１のセキュリティキーとは異なる、ステップ、
前記第１の基地局が、前記第１のＲＲＣメッセージに応答して送信される前記ＵＥからのＲＲＣレスポンスメッセージを受信するステップ、
前記第１の基地局が前記第１のＲＲＣメッセージに応答して送信される前記ＵＥからの前記ＲＲＣレスポンスメッセージを受信した後に、前記第１の基地局がセル追加確認メッセージを前記第２の基地局に送信するステップであって、前記ＲＲＣレスポンスメッセージは、前記第１のセキュリティキー及び前記第１のセキュリティアルゴリズムに従って保護される、ステップ、
を含む方法。
【請求項２】
前記セル追加要求メッセージは、
前記ＵＥと前記第２の基地局とが互いに通信するのに用いる前記第２のセキュリティキーに関する情報であって、前記第２のセキュリティキーに関する前記情報は、前記第２のセキュリティキーを導出するための情報又は前記第２のセキュリティキー自身である、前記第２のセキュリティキーに関する情報、前記ＵＥと前記第２の基地局が互いに通信するための前記第２のセキュリティアルゴリズムに関する情報、使用される前記第２のセキュリティアルゴリズムを決定するために、前記第２の基地局に対して使用される前記ＵＥのセキュリティ機能、及び前記ＵＥに対して割り当てられる前記第２の基地局の前記セルを示す情報、のうちの少なくとも１つを含む、
請求項１記載の方法。
【請求項３】
前記第１の基地局が、前記セル追加要求メッセージ以外のメッセージを、前記第２の基地局に送信することをさらに含み、
前記メッセージは前記第２のセキュリティキーに関する情報及び前記第２のセキュリティアルゴリズムに関する情報を含む、
請求項１記載の方法。
【請求項４】
前記ＵＥの送信する、前記第２の基地局の前記セルに対する機密保護誤りを示す、第２のＲＲＣメッセージを受信した後、前記第１の基地局が、前記ＵＥに対して、前記第２の基地局の前記セルを解除するステップをさらに含む、
請求項１記載の方法。
【請求項５】
前記第１の基地局は、前記ＵＥの送信した測定結果又は前記ＵＥにより送信された要求であって、前記第２の基地局の前記セルを示す、要求、により、前記第２の基地局の前記セルを決定する、
請求項１記載の方法。
【請求項６】
前記ＵＥと通信する前記第２の基地局のセルを解除することを前記第１の基地局が決定するステップ、
前記第２の基地局の前記セルの前記解除を開始するために、前記第１の基地局がセル解除要求メッセージを前記第２の基地局に送信するステップ、及び
前記セル解除要求メッセージに応答して前記第２の基地局により送信されたセル解除応答メッセージを前記第１の基地局が受信するステップ、
をさらに含む、請求項１記載の方法。
【請求項７】
前記第２の基地局の前記セルを解除することを前記ＵＥに指示するために、前記第１の基地局が前記ＵＥに他のＲＲＣメッセージを送信するステップ、
前記他のＲＲＣメッセージに応答して前記ＵＥにより送信された他のＲＲＣレスポンスメッセージを前記第１の基地局が受信するステップ；及び
前記他のＲＲＣレスポンスメッセージを受信した後に、前記第１の基地局がセル解除確認メッセージを前記第２の基地局に送信するステップ、
をさらに含む、請求項６記載の方法。
【請求項８】
ユーザ装置（ＵＥ）、第１の基地局及び第２の基地局を備え、前記ＵＥが前記第１の基地局に接続されている通信システムにおいて同時通信を処理する、第１の基地局であって、
前記第１の基地局が前記ＵＥと第１のセキュリティキー及び第１のセキュリティアルゴリズムを使用して通信する手段、
前記第１の基地局が、前記第２の基地局のセルを前記ＵＥに割り当てることを決定する手段、
前記第１の基地局が、前記ＵＥと通信するための前記第２の基地局の無線リソースの割り当てを前記第２の基地局に要求するために、前記決定に応答して前記第２の基地局にセル追加要求メッセージを送信する手段、
前記セル追加要求メッセージに応答して、前記第１の基地局が前記第２の基地局からセル追加応答メッセージを受信する手段；
前記第１の基地局が、前記ＵＥに、第１の無線リソース制御（ＲＲＣ）メッセージを送信する手段であって、前記第１のＲＲＣメッセージは、第２のセキュリティキーについての情報及び第２のセキュリティアルゴリズムに関する情報を含み、且つ前記第２のセキュリティキーは、前記ＵＥと前記第２の基地局との間の通信に使用され且つ前記第１のセキュリティキーとは異なる、手段、
前記第１の基地局が、前記第１のＲＲＣメッセージに応答して送信される前記ＵＥからのＲＲＣレスポンスメッセージを受信する手段、
前記第１の基地局が前記第１のＲＲＣメッセージに応答して送信される前記ＵＥからの前記ＲＲＣメッセージを受信した後に、前記第１の基地局がセル追加確認メッセージを前記第２の基地局に送信する手段であって、前記ＲＲＣレスポンスメッセージは、前記第１のセキュリティキー及び前記第１のセキュリティアルゴリズムに従って保護される、手段、
を含む第１の基地局。
【請求項９】
前記セル追加要求メッセージは、
前記ＵＥと前記第２の基地局とが互いに通信するのに用いる前記第２のセキュリティキーに関する情報であって、前記第２のセキュリティキーに関する前記情報は、前記第２のセキュリティキーを導出するための情報又は前記第２のセキュリティキー自身である、前記第２のセキュリティキーに関する情報、前記ＵＥと前記第２の基地局が互いに通信するための前記第２のセキュリティアルゴリズムに関する情報、使用される前記第２のセキュリティアルゴリズムを決定するために、前記第２の基地局に対して使用される前記ＵＥのセキュリティ機能、及び前記ＵＥに対して割り当てられる前記第２の基地局の前記セルを示す情報、のうちの少なくとも１つを含む、
請求項８記載の第１の基地局。
【請求項１０】
前記第１の基地局が、前記セル追加要求メッセージ以外のメッセージを、前記第２の基地局に送信する手段をさらに含み、
前記メッセージは前記第２のセキュリティキーに関する情報及び前記第２のセキュリティアルゴリズムに関する情報を含む、
請求項８記載の第１の基地局。
【請求項１１】
前記ＵＥの送信する、前記第２の基地局の前記セルに対する機密保護誤りを示す、第２のＲＲＣメッセージを受信した後、前記第１の基地局が、前記ＵＥに対して、前記第２の基地局の前記セルを解除する手段をさらに含む、
請求項８記載の第１の基地局。
【請求項１２】
前記第１の基地局が、前記第２の基地局の前記セルを前記ＵＥに割り当てることを決定する前記手段は、前記ＵＥの送信した測定結果又は前記ＵＥにより送信された要求であって、前記第２の基地局の前記セルを示す、要求、により、前記第２の基地局の前記セルを決定する、
請求項８記載の第１の基地局。
【請求項１３】
前記ＵＥと通信する前記第２の基地局のセルを解除することを前記第１の基地局が決定する手段、
前記第２の基地局の前記セルの前記解除を開始するために、前記第１の基地局がセル解除要求メッセージを前記第２の基地局に送信する手段、及び
前記セル解除要求メッセージに応答して前記第２の基地局により送信されたセル解除応答メッセージを前記第１の基地局が受信する手段、
をさらに含む、請求項８記載の第１の基地局。
【請求項１４】
前記第２の基地局の前記セルを解除することを前記ＵＥに指示するために、前記第１の基地局が前記ＵＥに他のＲＲＣメッセージを送信する手段、
前記他のＲＲＣメッセージに応答して前記ＵＥにより送信された他のＲＲＣレスポンスメッセージを前記第１の基地局が受信する手段；及び
前記他のＲＲＣレスポンスメッセージを受信した後に、前記第１の基地局がセル解除確認メッセージを前記第２の基地局に送信する手段、
をさらに含む、請求項１３記載の第１の基地局。
【発明の詳細な説明】
【技術分野】
【０００１】
本発明は、無線通信システムで用いられる方法、及びそれに関連する通信装置に関するものであり、より具体的には、二重接続（ｄｕａｌ  ｃｏｎｎｅｃｔｉｖｉｔｙ）の動作のためのセルの追加及び解除の処理方法、及びそれに関連する通信装置に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）リリース８標準規格、及び／又は３ＧＰＰリリース９標準規格に対応するロングタームエボリューション（ＬＴＥ）システムは、増大するユーザの需要を満たすため、ＵＭＴＳの性能をさらに向上することを目的として、ＵＭＴＳ（Ｕｎｉｖｅｒｓａｌ  ｍｏｂｉｌｅ  ｔｅｌｅｃｏｍｍｕｎｉｃａｔｉｏｎｓ  ｓｙｓｔｅｍ）の後継として３ＧＰＰによって開発された。
【０００３】
ＬＴＥシステムは、高データレート、低遅延、パケット最適化、およびシステム容量とカバレッジの向上をもたらす、新たなインターフェースおよび新たな無線ネットワーク構造を備える。ＬＴＥシステムにおいて、ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ（Ｅ−ＵＴＲＡＮ）として知られる無線アクセスネットワークは、複数のユーザ装置（ＵＥｓ）と通信するため、および、非アクセス層（ＮＡＳ）制御のための、モビリティマネジメントエンティティ（ＭＭＥ）、サービングゲートウェイ等を含むコアネットワークと通信するために、複数のｅｖｏｌｖｅｄ  Ｎｏｄｅ−Ｂ（ｅＮＢ）を備える。
【０００４】
ＬＴＥアドバンスト（ＬＴＥ−Ａ）システムは、その名が示す通り、ＬＴＥシステムを進化させたシステムである。ＬＴＥ−Ａシステムは、電力状態間のより速い切り替えを目標としており、ｅＮＢのカバレッジエリアの端部での性能を向上させ、そして、キャリアアグリゲーション（ＣＡ）、マルチポイント協調（ＣｏＭＰ）送受信、上りリンクＭＩＭＯ（ｍｕｌｔｉｐｌｅ−ｉｎｐｕｔ  ｍｕｌｔｉｐｌｅ−ｏｕｔｐｕｔ）等の先端技術を含んでいる。ＬＴＥ−Ａシステムにおいて、ＵＥとｅＮＢとが通信を行うためには、当該ＵＥとｅＮＢは、３ＧＰＰリリース１０標準規格、或いはそれ以降のバージョンといった、ＬＴＥ−Ａシステム用に開発された標準規格に対応しなければならない。
【０００５】
低出力基地局（例えば、低出力ＮＢ／ｅＮＢ）によって制御される小型のセルは、急速に増加している移動通信のトラフィックを解消するものと考えられる。小型のセルは、屋内の場合のホットスポットにおいて運用することができ、また、屋外の場合のホットスポットにおいて運用することもできる。低出力基地局とは、一般に、マクロセル（例えば、通常のＮＢ／ｅＮＢ）よりも送信電力の小さい基地局のことを言う。例えば、ピコセル基地局及びフェムトセル基地局は、通常、低出力基地局であると考えられる。１つのＵＥは、マクロセル基地局および低出力基地局と同時に通信することができる、すなわち、二重接続（ｄｕａｌ  ｃｏｎｎｅｃｔｉｖｉｔｙ）。この状況において、ＵＥは、マクロセル基地局および低出力基地局の双方を通して、（例えば、データ、パケット、メッセージ及び／又は制御情報の）送信及び／又は受信を行うことができる。二重接続によって、マクロ基地局への／からの同時データ伝送によるデータスループットの増加という効果が得られる。
【０００６】
しかしながら、二重接続を有効とするために、当該ＵＥに対する低出力基地局のセルをどのように追加すればよいかについては知られていない。すなわち、当該ＵＥがマクロセル基地局に接続されている一方で、低出力基地局のセルを加えることには、セキュリティの懸念があるかもしれない。また、当該ＵＥの二重接続のために、当該ＵＥに接続されている低出力基地局のセルを、当該ＵＥからどのように解除するかについても、知られていない。
【先行技術文献】
【非特許文献】
【０００７】
【非特許文献１】３ＧＰＰ  ＴＳＧ−ＲＡＮ２＃８１  Ｒ２−１３０４８８
【非特許文献２】３ＧＰＰ  ＴＳＧ−ＲＡＮ  ＷＧ２  ＃８１  Ｔｄｏｃ  Ｒ２−１３０３２４
【非特許文献３】３ＧＰＰ  ＴＳＧ−ＲＡＮ  ＷＧ２  ＃８１  Ｔｄｏｃ  Ｒ２−１３０４２０
【非特許文献４】３ＧＰＰ  ＴＳ３６．３３１  Ｖ１１．２．０（２０１２−１２）
【非特許文献５】３ＧＰＰ  ＴＲ３６．９３２  Ｖ１２．０．０（２０１２−１２）
【発明の概要】
【発明が解決しようとする課題】
【０００８】
従って、どのように二重接続を有効とするセルを加え、どのように当該二重接続におけるセルを解除し、どのようにセキュリティ要件を満足するかということは、解決すべき重要な課題である。
【課題を解決するための手段】
【０００９】
上記課題を解決するため、本発明は、通信装置に対して、基地局のセルを追加及び解除する処理を行うための方法と、それに関連する通信装置を提供する。
【００１０】
ユーザ装置（ＵＥ）、第１の基地局及び第２の基地局を備え、前記ＵＥが前記第１の基地局に接続されている通信システムにおいて同時通信を処理する方法。前記方法は、第１の基地局が前記ＵＥに対して前記第２の基地局のセルを割り当てることを決定するステップ；前記第１の基地局が、前記決定に応じて、前記ＵＥと通信するために前記第２の基地局の前記セルの無線リソースの割り当てを前記第２の基地局に要求するために、前記第２の基地局にセル追加要求メッセージを送信するステップ；及び前記第１の基地局が、前記ＵＥに、セキュリティキーに関する情報及びセキュリティアルゴリズムに関する情報を含む第１の無線リソース制御（ＲＲＣ）メッセージを送信するステップ、を含む。
【００１１】
ユーザ装置（ＵＥ）、第１の基地局及び第２の基地局を備え、前記ユーザ装置が前記第１の基地局に接続されている通信システムにおいて同時通信を処理する方法。前記方法は、前記第１の基地局が、前記ＵＥと通信する前記第２の基地局のセルの解除を決定するステップ、前記第２の基地局の前記セルの前記解除を開始するために、前記第１の基地局が、前記第２の基地局に、セル解除要求メッセージを送信するステップ、及び前記ＵＥに前記第２の基地局の前記セルを解除させるために、前記第１の基地局が、ＲＲＣメッセージを前記ＵＥに送信するステップを含む。
【００１２】
ユーザ装置（ＵＥ）、第１の基地局及び第２の基地局を備え、前記ＵＥが前記第１の基地局に接続されている通信システムにおいて同時通信を処理する方法。前記方法は、前記第２の基地局が、前記ＵＥから前記第２の基地局のセルを解除することを決定するステップと、前記ＵＥに前記第２の基地局の前記セルを解除させるため、前記第２の基地局が、ＲＲＣメッセージを前記ＵＥに送信するステップ、を含む。
【００１３】
本発明のこれらの目的およびその他の目的は、様々な図面によって説明される好適な実施例の以下の詳細な説明を読んだ後、当業者にとって理解しやすくなると確信する。
【図面の簡単な説明】
【００１４】
【図１】本発明の実施例に従った無線通信システムの概略図である。
【図２】本発明の実施例に従った通信装置の概略図である。
【図３】本発明の実施例に従った処理のフローチャートである。
【図４】本発明の実施例に従った処理のフローチャートである。
【図５】本発明の実施例に従った処理のフローチャートである。
【図６】本発明の実施例に従った処理のフローチャートである。
【図７】本発明の実施例に従った処理のフローチャートである。
【図８】本発明の実施例に従った処理のフローチャートである。
【図９】本発明の実施例に従った処理のフローチャートである。
【図１０】本発明の実施例に従った処理のフローチャートである。
【発明を実施するための形態】
【００１５】
図１は、本発明の実施例に従った無線通信システム１０の概略図である。無線通信システム１０は、概して、ユーザ装置（ＵＥ）１００、マクロセル基地局（ＢＳ）１０２、低出力ＢＳ１０４等を備えている。図１において、ＵＥ１００、マクロセルＢＳ１０２、低出力ＢＳ１０４は、無線通信システム１０の構造を説明するためにのみ用いられている。実際には、マクロセルＢＳ１０２及び／又は低出力ＢＳ１０４は、ｅｖｏｌｖｅｄ  ＵＴＲＡＮ（Ｅ−ＵＴＲＡＮ）、ロングタームエボリューション（ＬＴＥ）システム、ＬＴＥアドバンスト（ＬＴＥ−Ａ）システム又はＬＴＥ−Ａの進化したシステムにおけるｅｖｏｌｖｅｄ  ＮＢ（ｅＮＢ）及び／又は中継局であり得る。追加的に、低出力ＢＳ１０４は、ピコセルＢＳ又はフェムトセルＢＳであってもよい。図１において、低出力ＢＳ１０４は、マクロセルＢＳ１０２のカバレッジエリア内にある。別の例においては、低出力ＢＳ１０４は、マクロセルＢＳ１０２のカバレッジエリア外にあってもよいが、低出力ＢＳ１０４のカバレッジエリアとマクロセルＢＳ１０２のカバレッジエリアとは部分的に重なっている。
【００１６】
図１に示されるように、ＵＥ１００は、マクロセルＢＳ１０２のカバレッジエリア内にあり、かつ、低出力ＢＳ１０４のカバレッジエリア内にある。ＵＥ１００は、マクロセルＢＳ１０２及び低出力ＢＳ１０４と同時に通信することができる。すなわち、通信装置１０４は、マクロセルＢＳ１０２のセル及び低出力ＢＳ１０２のセルを通して、送信／受信を行うことができる。ＵＥ１００は、例えば、マシン型通信（ＭＴＣ）装置、携帯電話、ノート型パーソナルコンピュータ、タブレット型コンピュータ、電子書籍、又は携帯型コンピュータシステムであってもよい。さらに、マクロセルＢＳ１０２／低出力ＢＳ１０４、及び、ＵＥ１００は、その方向によっては、送信機あるいは受信機と見なすこともできる。例えば、上りリンク（ＵＬ）において、ＵＥ１００は送信機であり、マクロセルＢＳ１０２／低出力ＢＳ１０４は受信機である。また、下りリンク（ＤＬ）において、マクロセルＢＳ１０２／低出力ＢＳ１０４は送信機であり、ＵＥ１００は受信機である。
【００１７】
図２は、本発明の実施例に従った通信装置２０の概略を示す図である。通信装置２０は、図１に示されるＵＥ１００、マクロセルＢＳ１０２及び／又は低出力ＢＳ１０４であってもよいが、これらに限定されない。通信装置２０は、マイクロプロセッサ又は特定用途向け集積回路（ＡＳＩＣ）といった処理手段２００、記憶部２１０及び通信インターフェース部２２０を備えてもよい。記憶部２１０は、プログラムコード２１４を記憶することが可能であれば、いかなるデータ記憶装置であってもよく、当該プログラムコード２１４は、処理手段２００によって呼び出され、実行される。限定はしないが、記憶部２１０の例としては、加入者識別モジュール（ＳＩＭ）、読み取り専用メモリ（ＲＯＭ）、フラッシュメモリ、ランダムアクセスメモリ（ＲＡＭ）、ＣＤ−ＲＯＭ／ＤＶＤ−ＲＯＭ、磁気テープ、ハードディスク、及び光学データ記憶装置等が考えられる。通信インターフェース部２２０は、送受信装置であることが好ましく、処理手段２００の処理結果に応じた信号（例えば、データ、信号、メッセージ及び／又はパケット等）を送受信するのに利用される。
【００１８】
図３は、本発明の実施例に従った無線通信システム１０の通信を説明するための図である。図３は、マクロセルＢＳ１０２が利用する処理４０、ＵＥ１００が利用する処理５０、及び低出力ＢＳ１０４の観点からの処理を示す。処理４０の詳細は、図４において説明され、処理５０の詳細は、図５において説明される。
【００１９】
図３に示すように、ＵＥ１００とマクロセルＢＳ１０２とが互いに通信できるようにするため、ＵＥ１００とマクロセルＢＳ１０２は、ＲＲＣコネクションの確立の処理手順（ＲＲＣ  ｃｏｎｎｅｃｔｉｏｎ  ｅｓｔａｂｌｉｓｈｍｅｎｔ  ｐｒｏｃｅｄｕｒｅ）を実行する。また、ＵＥ１００とマクロセルＢＳ１０２は、セキュリティ起動手順（ｓｅｃｕｒｉｔｙ  ａｃｔｉｖａｔｉｏｎ  ｐｒｏｃｅｄｕｒｅ）を実行することができ、当該セキュリティ起動手順の際に、ＵＥ１００は、第１のセキュリティキーと第１のセキュリティアルゴリズムを取得することができる。それにより、当該第１のセキュリティキー及び第１のセキュリティアルゴリズムを用いることにより、ＵＥ１００とマクロセルＢＳ１０２のセルとの間の送信及び／又は受信（ステップ４０２及びステップ５０２）を保護することが可能となる。当該第１のセキュリティキー及び第１のセキュリティアルゴリズムは、ＵＥ１００とマクロセルＢＳ１０２双方において有効とされる（すなわち、適用される）。
【００２０】
次に、マクロセルＢＳ１０２は、低出力ＢＳ１０４のセルをＵＥ１００に割り当てることを決定する（ステップ４０４）。マクロセルＢＳ１０２が低出力ＢＳ１０４のセルを決定／選択するために用いる方法は、特に限定されない。例えば、マクロセルＢＳ１０２は、ＵＥ１００が送信した測定結果によって、低出力ＢＳ１０４のセルを決定してもよい。別の例において、マクロセルＢＳ１０２は、ＵＥ１００が送信した低出力ＢＳ１０４のセルを示すリクエストによって、低出力ＢＳ１０４のセルを決定してもよい。
【００２１】
低出力ＢＳ１０４のセルに対して、当該低出力ＢＳ１０４のセルと通信するための無線リソースをＵＥ１００に割り当てることを要求するために、マクロセルＢＳ１０２は、セル追加要求メッセージ（ｃｅｌｌ  ａｄｄｉｔｉｏｎ  ｒｅｑｕｅｓｔ  ｍｅｓｓａｇｅ）を低出力ＢＳ１０４に送信する（ステップ４０６）。当該セル追加要求メッセージは、第２のセキュリティキーに関する情報及び／又は第２のセキュリティアルゴリズムに関する情報を含んでもよいし、含まなくてもよい。第２のセキュリティキーに関する情報と第２のセキュリティアルゴリズムに関する情報については、後で詳しく説明する。当該第２のセキュリティキーと第２のセキュリティアルゴリズムは、ＵＥ１００と低出力ＢＳ１０４双方において有効とされ、このため、送信と受信を保護することができる。
【００２２】
第２のセキュリティキーに関する情報及び／又は第２のセキュリティアルゴリズムに関する情報がセル追加要求メッセージに含まれているか、あるいは、その他の追加のメッセージに含まれているかにかかわらず、低出力ＢＳ１０４は、当該第２のセキュリティキーと第２のセキュリティアルゴリズムを、受信した第２のセキュリティキーに関する情報及び／又は第２のセキュリティアルゴリズムに関する情報に基づき、取得してもよい。次に、当該セル追加要求メッセージに応じて、低出力ＢＳ１０４は、セル追加応答メッセージ（ｃｅｌｌ  ａｄｄｉｔｉｏｎ  ｒｅｓｐｏｎｓｅ  ｍｅｓｓａｇｅ）をマクロセルＢＳ１０２に送信してもよい（ステップ４０８）。どの基地局が第２のセキュリティキー及び第２のセキュリティアルゴリズムを生成したかに応じて、当該セル追加応答メッセージは、第２のセキュリティキー及び第２のセキュリティアルゴリズムを含んでもよいし、含まなくてもよい。セル追加応答メッセージについても、後で詳しく説明する。
【００２３】
第１のセキュリティキーと第２のセキュリティキーとは同じであってもよいし、異なっていてもよいく、また、第１のセキュリティアルゴリズムと第２のセキュリティアルゴリズムは、同じであってもよいし、異なっていてもよいということに注意すべきである。第１のセキュリティキーと第２のセキュリティキーが同じである場合、ＵＥおよび基地局に対するセキュリティ機能の実装が容易になると考えられる。しかしながら、このことは、機密保護に対する危険性を増大させる。他方、第１のセキュリティキーと第２のセキュリティキーとが異なる場合、セキュリティキーが異なることに起因して、ＵＥ及び基地局におけるセキュリティ機能の実装が少し複雑になるかもしれないが、機密保護に対する危険性は明らかに減少する。
【００２４】
次に、マクロセルＢＳ１０２は、第２のセキュリティキーに関する情報を含み、かつ、第２のセキュリティアルゴリズムに関する情報を含む場合があるＲＲＣメッセージをＵＥ１００に送信する（ステップ４１０及びステップ５０４）。ＵＥ１００は、ＲＲＣメッセージに含まれる情報に基づき、第２のセキュリティキー、及び第２のセキュリティアルゴリズムを取得し（ステップ５０６）、その後、第２のセキュリティキー及び第２のセキュリティアルゴリズムを有効にする。ＲＲＣメッセージがセキュリティアルゴリズムに関する情報を含まない又は有しない場合、そのことは、（ＵＥ１００及び低出力ＢＳ１０４に対する）第２のセキュリティアルゴリズムが、（ＵＥ１００及びマクロセルＢＳ１０２に対する）第１のセキュリティアルゴリズムと同じであることを意味する。
【００２５】
ＵＥ１００は、ＲＲＣメッセージを受信したことに応じて、ＲＲＣレスポンスメッセージ（例えば、ＲＲＣＣｏｎｎｅｃｔｉｏｎＲｅｃｏｎｆｉｇｕｒａｔｉｏｎＣｏｍｐｌｅｔｅ）をマクロセルＢＳ１０２に送信（ステップ５０８）してもよく、また、データ送信及び／又は受信を行ってもよい（ステップ５１０）。他方、ＲＲＣレスポンスメッセージを受信した後、マクロセルＢＳ１０２は、セル追加確認メッセージ（ｃｅｌｌ  ａｄｄｉｔｉｏｎ  ｃｏｎｆｉｒｍ  ｍｅｓｓａｇｅ）を、低出力ＢＳ１０４に送信してもよい。代替的に、受信したＲＲＣメッセージに応じて、ＵＥ１００は、ＲＲＣレスポンスメッセージをマクロセルＢＳ１０２に送信してもよく、また、マクロセルＢＳ１０２は、低出力ＢＳ１０４がセル追加確認メッセージをマクロセルＢＳ１０２に送信できるようにするため、ＲＲＣレスポンスメッセージを低出力ＢＳ１０４に転送するだけとしてもよい。代替的に、ＵＥ１００は、ＲＲＣレスポンスメッセージをマクロセルＢＳ１０２には送信せずに、（図３の点線のメッセージに示すように）低出力ＢＳ１０４のセルを通して、当該ＲＲＣレスポンスメッセージを直接低出力ＢＳ１０４に送信する。この場合において、低出力ＢＳ１０４は、ＵＥ１００からのＲＲＣレスポンスメッセージを受信した後に、（図３の点線のメッセージに示すように）セル追加確認メッセージをマクロセルＢＳ１０２に送信してもよい。
【００２６】
ＲＲＣレスポンスメッセージがマクロセルＢＳ１０２に送信される場合、当該ＲＲＣレスポンスメッセージは、第１のセキュリティキー及び第１のセキュリティアルゴリズムを用いて保護されてもよい（例えば、第１のセキュリティキー及び第１のセキュリティアルゴリズムを用いて暗号化される）く、また、ＲＲＣレスポンスメッセージが低出力ＢＳ１０４に送信される場合、当該ＲＲＣレスポンスメッセージは、第２のセキュリティキー及び第２のセキュリティアルゴリズムを用いて保護されてもよい（例えば、第２のセキュリティキー及び第２のセキュリティアルゴリズムを用いて暗号化される）ことに注意すべきである。
【００２７】
低出力ＢＳ１０４が第２のセキュリティキー及び第２のセキュリティアルゴリズムを取得した後、低出力ＢＳ１０４は、その直後に（又は適切な任意のタイミングに）、第２のセキュリティキー及び第２のセキュリティアルゴリズムを有効とすることができ、そうでなければ、低出力ＢＳ１０４がマクロセルＢＳ１０２からのセル追加確認メッセージを受信するか又は低出力ＢＳ１０４がＵＥ１００からのＲＲＣレスポンスメッセージを直接受信するまで、低出力ＢＳ１０４は、第２のセキュリティキー及び第２のセキュリティアルゴリズムを適用しないことに注意する。
【００２８】
図３に示す流によれば、ＵＥ１００と低出力ＢＳ１０４の間の送信及び／又は受信を、第２のセキュリティキー及び第２のセキュリティアルゴリズムを用いて、保護することができる。その結果、ＵＥ１００は、対応するセキュリティキー及びセキュリティアルゴリズムで決定される保護を用いて、マクロセルＢＳ１０２のセルおよび低出力ＢＳ１０４のセルの双方と通信を行うことができる。図３の各ステップ及びメッセージは、本発明の概念を説明するものであり、図５において、これらのステップの詳細は、実際の実施の要件に基づき、少し異なる場合がある。当業者であれば、当該相違について容易に認識することが可能であり、当該相違にしたがって、対応する図面の各ステップを組み合わせ、変更し及び／又は改変することができる。
【００２９】
処理４０及び処理５０の詳細な流れは、以下の通りである。
【００３０】
図４は、本発明の実施例に従った処理４０のフローチャートある。処理４０は、通信装置２０で実行することができる。ここで、通信装置２０は、第２のＢＳ（例えば、図１の低出力ＢＳ１０４）のセルを追加する処理を行う際の、第１のセルのＢＳ（例えば、図１のマクロセルＢＳ１０２）とすることができる。当該処理４０をプログラムコード２１４にコンパイルしてもよい。当該処理４０は以下のステップを備える。
【００３１】
ステップ４００：  開始。
【００３２】
ステップ４０２：  ＵＥに接続し、当該ＵＥにデータを送信するか、或いは、当該ＵＥからデータを受信する。
【００３３】
ステップ４０４：  第２のＢＳのセルを当該ＵＥに割り当てることを決定する。
【００３４】
ステップ４０６：  当該決定に応じて、当該ユーザ装置と通信するために、第２のＢＳのセルの無線リソースの割り当てを当該第２のＢＳに要求するための、セル追加要求メッセージを、第２のＢＳに送信する。
【００３５】
ステップ４０８：  当該セル追加要求メッセージの送信に応じて、第２のＢＳから、セル追加応答メッセージを受信する。
【００３６】
ステップ４１０：  第１の無線リソース制御（ＲＲＣ）メッセージを当該ＵＥに送信する。ここで、第１のＲＲＣメッセージは、第２のＢＳと通信するためのセキュリティキーに関する情報を含む。
【００３７】
ステップ４１２：  終了。
【００３８】
処理４０によれば、第１のＢＳ（例えば、マクロセルＢＳ１０２）は、当該第１のＢＳに接続されているＵＥに対して、第２のＢＳ（例えば、低出力ＢＳ１０４）のセルを割り当てることを決定する（例えば、選択する）（ステップ４０４）。そして、第１のＢＳは、当該ＵＥと通信するために、第２のＢＳに対して第２ＢＳのセルの無線リソースの割り当てを要求するセル追加要求メッセージを、第２のＢＳに送信する（ステップ４０６）。
【００３９】
セル追加要求メッセージは、第２のＢＳが当該ＵＥと通信するために用いる第２のセキュリティキーに関する情報を含んでもよい。第２のセキュリティキーは、第２のＢＳと当該ＵＥとの間の通信の、暗号化／復号化又は整合性保護／チェック（ｉｎｔｅｇｒｉｔｙ  ｐｒｏｔｅｃｔｉｏｎ／ｃｈｅｃｋ）、といった機密保護の目的のために利用される。第２のセキュリティキーに関する情報は、当該第２のセキュリティキーそれ自身であるか又は当該第２のセキュリティキーを導出するための情報であるか、或いは、ここでは限定されないその他の同様な情報であることに注意する。第２のセキュリティキーを導出するための情報は、鍵導出関数（ｋｅｙ  ｄｅｒｉｖａｔｉｏｎ  ｆｕｎｃｔｉｏｎ）によって、当該第２のセキュリティキーを導出するために用いられる値であってもよい。すなわち、第２のＢＳがＵＥと通信する際に、第２のセキュリティキーを直接利用できるようにするため、第１のＢＳは、当該第２のセキュリティキーを生成し、生成した第２のセキュリティキーをセル追加要求メッセージに含めてもよい（さらに、第２のＢＳに送信してもよい）。そうでなければ、第１のＢＳは、第２のセキュリティキーを導出するための情報をセル追加要求メッセージに含めてもよく、また、第２のＢＳは、受信した第２のセキュリティキーに関する情報にしたがって、当該ＵＥと通信するための第２のセキュリティキーを第２のＢＳ自身において生成する。
【００４０】
機密保護を目的として、第１のＢＳとＵＥとが互いに通信する場合、（マクロセル基地局としての）当該第１のＢＳと当該ＵＥは、第１のセキュリティキー及び第１のセキュリティアルゴリズムを利用することに注意する。このことは、ＬＴＥシステムに低出力基地局が導入されない場合の従来技術における処理と同様であるため、その説明を省略する。
【００４１】
さらに、第１のＢＳが、当該ＵＥに対するどのセルの割り当てを要求しているかを識別するために、セル追加要求メッセージは、第２のＢＳのセルを特定するための情報を含んでもよい。セル追加要求メッセージは、第２のＢＳが当該ＵＥと通信するための、（第１のＢＳによって決定される）第２のセキュリティアルゴリズムに関連する情報を含んでもよい。或いは、セル追加要求メッセージは、第１のＢＳが提供可能なすべてのセキュリティアルゴリズムに関する情報及び当該ＵＥのセキュリティ機能についての情報（例えば、当該ＵＥが扱うことのできるセキュリティアルゴリズムについての情報）を含んでもよい。
【００４２】
代替的に、第１のＢＳは、第２のセキュリティキーに関する情報を含まないセル追加要求メッセージを送信してもよい。この実施形態において、当該セル追加要求メッセージを送信した後、第１のＢＳは、第２のセキュリティキーに関する情報を含む別のメッセージを第２のＢＳに追加的に送信してもよい。セキュリティキーに関する情報は、第１のＢＳによって生成された第２のセキュリティキーであってもよく、或いは、第２のＢＳが第２のセキュリティキーを生成することができるような、当該第２のセキュリティキーを導出するための情報（それは、鍵導出関数によって、第２のセキュリティキーを導出するために利用することができる値であってもよい）であってもよい。
【００４３】
セル追加要求メッセージが送信された後、第１のＢＳは、第２のＢＳからのセル追加要求メッセージに応じて、セル追加応答メッセージを受信する（ステップ４０８）。第２のセキュリティキーは、第２のＢＳ又は第１のＢＳ自身によって生成されてもよいため、セル追加要求メッセージは、当該第２のセキュリティキーに関する情報を含むこともあり、含まないこともある。つまり、第２のセキュリティキーが第２のＢＳによって生成された場合（それがセル追加要求メッセージに含まれる関連する情報に基づいて生成されたか、或いは、追加的なメッセージに含まれる関連する情報に基づいて生成されたかにかかわらず）、第１のＢＳは、当該第２のセキュリティキーに関する情報を含むセル追加応答メッセージを受信してもよい。
【００４４】
さらに、セル追加応答メッセージは、当該セル追加応答メッセージに含まれるＵＥのセキュリティ機能についての情報にしたがって第２のＢＳが選択した、第２のセキュリティアルゴリズムに関する情報を含んでもよい（又は含まなくてもよい）。セル追加応答メッセージが第２のセキュリティアルゴリズムに関する情報を含むか否かは、第２のＢＳで使用する当該第２のセキュリティアルゴリズムを、どちらが決定するかに依存する。第１のＢＳが第２のセキュリティアルゴリズムを決定し、それを第２のＢＳに送信する場合、第２のＢＳは、当該第２のセキュリティアルゴリズムを直接用いることができるので、当該第２のセキュリティアルゴリズムを自身で生成又は導出する必要はない。従って、第２のＢＳから送信され、第１のＢＳが受信するセル追加応答メッセージは、第２のセキュリティアルゴリズムを含まない。他方、第１のＢＳが第１のＢＳが提供し得る全てのセキュリティアルゴリズムに関する情報とＵＥのセキュリティ機能の情報（例えば、当該ＵＥで扱うことができるセキュリティアルゴリズムの情報）をセル追加要求メッセージに含める場合、当該第２のセキュリティアルゴリズムの決定は、第２のＢＳが行うこととなり、当該セル追加応答メッセージは、第２のＢＳにより決定された第２のセキュリティアルゴリズムに関する情報を含むこととなる。
【００４５】
第１のＢＳは、第１の無線リソース制御（ＲＲＣ）メッセージ（例えば、ＲＲＣＣｏｎｎｅｃｔｉｏｎＲｅｃｏｎｆｉｇｕｒａｔｉｏｎ）をＵＥに送信する（ステップ４１０）。ここで、当該第１のＲＲＣメッセージは、ＵＥが第２のＢＳと通信するための第２のセキュリティキーに関する情報を含む。上記の通り、第２のセキュリティキーは、第２のＢＳとＵＥとの間の通信の、暗号化／復号化又は整合性保護／チェックといった機密保護を目的として利用される。また、ＵＥに送信される第２のセキュリティキーに関する情報は、第２のセキュリティキーそのもの又は第２のセキュリティキーを導出するための情報であり、或いは、ここでは限定されないその他の同様な情報であってもよい。第２のセキュリティキーを導出するための情報は、鍵生成関数にしたがって、当該第２のセキュリティキーを導出するために利用される値であってもよい。
【００４６】
追加的に、第１のＲＲＣメッセージは、第２のセキュリティアルゴリズムに関する情報をさらに含んでもよい。第２のセキュリティアルゴリズムは、暗号化／復号化のための暗号化／復号化アルゴリズム及び／又は整合性保護／チェックのための整合性保護アルゴリズム（ｉｎｔｅｇｒｉｔｙ  ｐｒｏｔｅｃｔｉｏｎ  ａｌｇｏｒｉｔｈｍ）を含んでもよい。第２のセキュリティアルゴリズムは、上記の通り、（ＵＥのセキュリティ機能にしたがって）第２のＢＳで決定され、セル追加応答メッセージに含められるか、或いは、ＵＥのセキュリティ機能にしたがって、第１のＢＳ自身によって生成される。第２のセキュリティアルゴリズムに関する情報は、第２のアルゴリズムを表示する指標といった、第２のセキュリティアルゴリズムを取得するために必要な情報（例えば、識別情報）を含んでもよく、ここでは特に限定されない。第２のセキュリティアルゴリズムに関連する情報が第１のＲＲＣメッセージに含まれない場合、或いは、第２のセキュリティアルゴリズムに関連する情報が第１のＲＲＣメッセージのフォーマットにおいて定義されていない場合、ＵＥと第１のＢＳとの間での送信及び／又は受信のために用いられる第１のセキュリティアルゴリズムが、当該ＵＥと第２のＢＳとの間での送信及び／又は受信のために用いられることになり得る。つまり、当該ＵＥは、第２のＢＳとの通信のために、第１のセキュリティアルゴリズムを代用する。
【００４７】
その後、ＵＥは、ＲＲＣ応答メッセージを、第１のＢＳのセルを通して、第１のＢＳに送信するか、或いは、第２のＢＳのセルを通して、第２のＢＳに送信する。従って、ＵＥと第２のＢＳのセルとの間で行われる送信及び／又は受信は、第２のセキュリティキー及び第２のセキュリティアルゴリズム（又は少なくとも、第１のセキュリティキー及び第１のセキュリティアルゴリズム）によって保護することができる（例えば、暗号化するか、又は整合性保護を行う）。
【００４８】
追加的に、第１のＲＲＣメッセージは、周波数帯域情報、搬送周波数、物理セルＩＤ（ｐｈｙｓｉｃａｌ  ｃｅｌｌ  ｉｄｅｎｔｉｆｙ）及びセルＩＤ（ｃｅｌｌ  ｉｄｅｎｔｉｔｙ）のうちの少なくとも１つを含む、第２のＢＳのセル情報を含んでもよい。
【００４９】
本発明の実施は、上記の説明には限定されない。以下において、無線通信システム１０に基づき、別の実施例を説明する。
【００５０】
図５は、本発明の実施例に従った処理５０のフローチャートを示す図である。処理５０は、ＵＥ１００に対して第２のＢＳ（例えば、低出力ＢＳ１０４）のセルの追加処理を行うために、通信装置２０で利用することができる。ここで、通信装置２０は、図１に示されるＵＥ１００であってもよい。処理５０をプログラムコード２１４にコンパイルしてもよい。処理５０は、以下のステップを備える。
【００５１】
ステップ５００：  開始。
【００５２】
ステップ５０２：  第１のＢＳに接続し、第１のセキュリティキーを用いて、第１のＢＳにデータを送信するか、或いは、第１のセキュリティキーを用いて、第１のＢＳからデータを受信する。
【００５３】
ステップ５０４：  無線リソース制御（ＲＲＣ）メッセージを第１のＢＳから受信する。これにより、第１のＢＳは、ＵＥ１００が第２のＢＳと通信するための、第２のＢＳのセルをＵＥ１００に割り当てる。ここで、ＲＲＣメッセージは、第２のセキュリティキーに関する情報を含む。
【００５４】
ステップ５０６：  ＲＲＣメッセージに含まれる情報に基づき、第２のセキュリティキー及び第２のセキュリティアルゴリズムを取得する。
【００５５】
ステップ５０８：  第２のＢＳに接続し、第２のセキュリティキーを用いて、第２のＢＳにデータを送信するか、或いは、第２のセキュリティキーを用いて、データを第２のＢＳから受信する。
【００５６】
ステップ５１０：  ＲＲＣレスポンスメッセージを第１のＢＳに送信する。
【００５７】
ステップ５１２：  終了。
【００５８】
処理５０の詳細は、図３及び図４に関連する上記の説明に基づいて実現することができが、ここでは、その詳細を省略する。
【００５９】
図６は、本発明の実施例に従った無線通信システム１０における通信を説明する図である。図６は、第２のＢＳ（例えば、低出力ＢＳ）のセルを解除する処理を行うために、通信装置２０において利用される処理６０を示す。ここで、通信装置２０は、図１に示されるマクロセルＢＳ１０２であってもよい。処理６０をプログラムコード２１４にコンパイルしてもよい。処理６０は、以下のステップを備える。
【００６０】
ステップ６００：  開始。
【００６１】
ステップ６０２：  ＵＥから第２のＢＳのセルを解除することを決定する。
【００６２】
ステップ６０４：  第２のＢＳのセルの解除を開始するために、セル解除要求メッセージ（ｃｅｌｌ  ｒｅｌｅａｓｅ  ｒｅｑｕｅｓｔ  ｍｅｓｓａｇｅ）を第２のＢＳに送信する。
【００６３】
ステップ６０６：  ＵＥに対して第２のＢＳのセルの解除を指示するために、ＲＲＣメッセージをＵＥに送信する。
【００６４】
ステップ６０８：  終了。
【００６５】
ここで、低出力ＢＳ１０４のセルが解除される前に、ＵＥ１００は、マクロセルＢＳ１０２のセル及び低出力ＢＳ１０４のセルの双方と通信していることに注意する。図６に示される処理６０によれば、第１のＢＳは、ＵＥと通信している第２のＢＳ（例えば、低出力ＢＳ１０４）のセルを決定する（例えば、選択する）（ステップ６０２）。そして、第１のＢＳは、セル解除要求メッセージを第２のＢＳに送信することによって、当該ＵＥに対する、第２のＢＳのセルの解除を開始する（ステップ６０４）。その後、ＵＥに対して、第２のＢＳのセルの解除を指示するために、第１のＢＳは、ＲＲＣメッセージを通信装置に送信する（ステップ６０６）。セル解除要求メッセージを受信した後、第２のＢＳはセルを解除する。すなわち、通信装置に対する無線リソースの割り当てを停止する。別の実施例例において、第２のＢＳは、セル解除要求メッセージに応じて、第１のＢＳに（点線で示される）セル解除応答メッセージ（ｃｅｌｌ  ｒｅｌｅａｓｅ  ｒｅｓｐｏｎｓｅ  ｍｅｓｓａｇｅ）を送信してもよい。
【００６６】
第１のＢＳがセル解除応答メッセージを受信した場合、第１のＢＳは、第２のＢＳのセルの解除を指示するＲＲＣメッセージ（ＲＲＣＣｏｎｎｅｃｔｉｏｎＲｅｃｏｎｆｉｇｕｒａｔｉｏｎ）をＵＥに送信する。ＵＥがＲＲＣメッセージを受信した場合、当該ＵＥは、第２のＢＳのセルを解除する。ＵＥは、第２のＢＳのセルからの制御信号及び／又はデータの受信を停止する。さらに、ＵＥは、第１のＢＳのセルを通して、第１のＢＳにＲＲＣレスポンスメッセージ（例えば、ＲＲＣＣｏｎｎｅｃｔｉｏｎＲｅｃｏｎｆｉｇｕｒａｔｉｏｎＣｏｍｐｌｅｔｅ）を送信してもよい。第１のＢＳがＲＲＣレスポンスメッセージを受信した後、第１のＢＳは、セル解除手順が完了したことを確認するために、第２のＢＳに、セル解除確認メッセージ（ｃｅｌｌ  ｒｅｌｅａｓｅ  ｃｏｎｆｉｒｍ  ｍｅｓｓａｇｅ）を送信してもよい（又は送信しなくてもよい）。セル解除要求メッセージを受信した後に第２のＢＳのセルを解除することに代えて、第２のＢＳは、セル解除確認メッセージを受信した後に、セルを解除してもよいことに注意する。したがって、上記の説明の通り、第２のＢＳのセルを解除することができる。
【００６７】
本発明の実施は、上記の説明には限定されない。以下において、無線通信システム１０に基づき、別の実施例を説明する。
【００６８】
図７は、本発明の実施例に従った無線通信システム１０における通信を説明するための図である。図６と同様に、図７は、通信装置２０において利用される処理７０を示す。ここで、通信装置２０は、マクロセルＢＳ１０２であってもよい。また、図７において、低出力ＢＳ１０４のセルが解除される前に、ＵＥ１００は、マクロセルＢＳ１０２のセル及び低出力ＢＳ１０４のセルと通信している。図６の場合と異なり、図７においては、低出力ＢＳ１０４が、セル解除要求メッセージをマクロセルＢＳ１０２に対して送信することによって、ＵＥ１００に対する、そのセルの解除を開始する（ステップ７０２）。セル解除要求メッセージを受信した後、マクロセルＢＳ１０２は、ＵＥ１００から低出力ＢＳ１０４のセルを解除するために、ＲＲＣメッセージを、（マクロセルＢＳ１０２のセルを通して）ＵＥ１００に送信する（ステップ７０４）。当該ＲＲＣメッセージに応じて、マクロセルＢＳ１０２は、ＵＥ１００からのＲＲＣレスポンスメッセージを、（マクロセルＢＳ１０２のセルを通して）受信してもよい（ステップ７０６）。ＲＲＣレスポンスメッセージを受信した後、マクロセルＢＳ１０２は、低出力ＢＳ１０４にセル解除確認メッセージを送信してもよい（ステップ７０８）。このようにして、低出力ＢＳ１０４のセルを解除することができる。ここで、当該低出力ＢＳは、当該セルの解除処理を開始した後又はセル解除確認メッセージを受信した後に、セルを解除してもよいことに注意する。
【００６９】
図８は、本発明の実施例に従った無線通信システム１０における通信を説明するための図である。図８において、低出力ＢＳ１０４のセルが解除される前に、ＵＥ１００は、マクロセルＢＳ１０２のセル及び低出力ＢＳ１０４のセルと通信を行っている。マクロセルＢＳ１０２は、ＵＥ１００と通信する低出力ＢＳ１０４のセルを決定する（例えば、選択する）。そして、マクロセルＢＳ１０２は、ＵＥ１００に対する低出力ＢＳ１０４のセルの解除を開始する。図６の前半の部分と同様に、ステップ８０２、８０４及び８０６は、ステップ６０２、６０４及び６０６と同様であるため、その説明はここでは省略する。
【００７０】
図６の場合と異なり、図８において、ＵＥ１００は、ＲＲＣレスポンスメッセージをマクロセルＢＳ１０２には送信しない。そうではなくて、ＵＥ１００は、ＲＲＣレスポンスメッセージを、（第１のＢＳのセル、第２のＢＳのセル、又は第２のＢＳの他セルを通して）低出力ＢＳ１０４に送信する。ＵＥ１００が、ＲＲＣレスポンスメッセージを、第２のＢＳのセルを通して送信する場合、ＵＥ１００は、当該ＲＲＣレスポンスメッセージを送信した後、当該低出力ＢＳ１０４のセルを解除する。ここで、セル解除要求メッセージを受信した後に第２のＢＳのセルを解除することに代えて、低出力ＢＳ１０４は、ＵＥ１００からのＲＲＣレスポンスメッセージを受信した後に、当該セルを解除してもよいことに注意する。
【００７１】
図９は、本発明の実施例に従った無線通信システム１０における通信を説明するための図である。図９は、低出力ＢＳ１０４のセルの解除の処理のために、通信装置２０において利用される処理９０を示す。ここで、通信装置２０は、図１に示される、低出力ＢＳ１０４であってもよい。処理９０をプログラムコード２１４にコンパイルしてもよい。処理９０は、以下のステップを備える。
【００７２】
ステップ９００：  開始。
【００７３】
ステップ９０２：  ＵＥに対する第２のＢＳのセルの解除を決定する。
【００７４】
ステップ９０４：  ＵＥに対して第２のＢＳのセルの解除を指示するために、ＲＲＣメッセージをＵＥに送信する。
【００７５】
ステップ９０６：  第２のＢＳのセルの解除を示すために、セル解除確認メッセージを、第１のＢＳに対して送信する。
【００７６】
ステップ９０８：  終了。
【００７７】
低出力ＢＳ１０４のセルが解除される前に、ＵＥ１００は、マクロセルＢＳ１０２のセル及び低出力ＢＳ１０４のセルと通信していることに注意する。処理９０によれば、低出力ＢＳ１０４は、ＵＥ１００に対する低出力ＢＳ１０４のセルの解除を決定する（ステップ９０２）。そして、当該ＵＥに対して低出力ＢＳ１０４のセルの解除を指示するために、低出力ＢＳ１０４は、ＲＲＣメッセージをＵＥ１００に送信する（ステップ９０４）。
このようにして、低出力ＢＳ１０４のセルを解除することができる。さらに、低出力ＢＳ１０４は、低出力ＢＳ１０４のセルが解除されたことを示す、セル解除確認メッセージを、マクロセルＢＳ１０２に対して送信する（ステップ９０６）。
【００７８】
本発明の実施は、上記説明には限定されない。以下、無線通信システム１０によって、別の実施例を説明する。
【００７９】
図１０は、本発明の実施例に従った無線通信システム１０における通信を説明するための図である。図１０は、低出力ＢＳ１０４のセルの解除の処理のために、通信装置２０において利用される処理１１０を示す。ここで、通信装置２０は、低出力ＢＳ１０４であってもよい。処理１１０をプログラムコード２１４にコンパイルしてもよい。処理１１０は、以下のステップを備える。
【００８０】
ステップ１１００：  開始。
【００８１】
ステップ１１０２：  ＵＥに対する第２のＢＳのセルの解除を決定する。
【００８２】
ステップ１１０４：  ＵＥに対して第２のＢＳのセルの解除を指示するために、セル解除要求メッセージを第１のＢＳに送信する。
【００８３】
ステップ１１１０：  終了。
【００８４】
低出力ＢＳ１０４のセルが解除される前に、ＵＥ１００は、マクロセルＢＳ１０２のセル及び低出力ＢＳ１０４のセルと通信していることに注意する。処理１１０によると、低出力ＢＳ１０４は、ＵＥ１００に対する、低出力ＢＳ１０４のセルの解除を決定する（ステップ１１０２）。低出力ＢＳ１０４は、その後、ＵＥ１００に低出力ＢＳ１０４のセルの解除を指示するために、セル解除要求メッセージをマクロセルＢＳ１０２に送信する（ステップ１１０４）。すなわち、当該解除手順は、低出力ＢＳ１０４によって開始される。図１０に示すように、低出力ＢＳ１０４は、さらに、ＵＥ１００からセルを解除するために、ＲＲＣメッセージを、（マクロセルＢＳ１０２のセル、低出力ＢＳ１０４のセル、又は低出力ＢＳ１０４の別のセルを通して）ＵＥ１００に送信する（ステップ１１０４）。
【００８５】
ＵＥ１００がＲＲＣメッセージを受信した後、ＵＥ１００は、（マクロセルＢＳ１０２のセルを通して）マクロセルＢＳ１０２に、ＲＲＣレスポンスメッセージを送信してもよい。セル解除要求メッセージを開始時に送信している場合、低出力ＢＳ１０４は、マクロセルＢＳ１０２がＲＲＣレスポンスメッセージを受信した後、マクロセルＢＳ１０２の送信するセル解除確認メッセージを受信することがある。したがって、上記の説明の通り、低出力ＢＳ１０４のセルが解除される。
【００８６】
マクロセルＢＳ１０２が、解除する低出力ＢＳ１０４のセルを決定する（例えば、選択する）方法は、さらには限定されない。例えば、マクロセルＢＳ１０２は、ＵＥ１００の送信する測定結果にしたがって、低出力ＢＳ１０４のセルの解除を決定してもよい。別の実施例において、マクロセルＢＳ１０２は、ＵＥ１００の送信する、低出力ＢＳ１０４のセルを示すリクエストによって、低出力ＢＳ１０４のセルの解除を決定してもよい。マクロセルＢＳ１０２は、ＵＥ１００の送信する、低出力ＢＳ１０４のセルに対応する機密保護に対する誤り（例えば、整合性チェック誤り）を示すＲＲＣメッセージを受信した後、ＵＥ１００に対する低出力ＢＳ１０４の解除を開始してもよい。
【００８７】
さらに、各ステップ（及びそのメッセージ）の概念を説明するために、異なる図面において、同様なステップ（及びそのメッセージ）が用いられている。しかしながら、異なる図面における当該同様なステップ（及びそのメッセージ）の詳細は、各ステップの実際の実施によって、少し異なる場合がある。当業者であれば、上記の説明及び例について、組合せ、改良及び／又は変更を容易に行うことができるであろう。
【００８８】
提案される各ステップを含めて、上記各処理についてのステップは、ハードウェア、ファームウェア、又は電子回路システムといった手段によって実現することが可能である。ここで、ファームウェアは、ハードウェア装置、計算機命令及び読取専用ソフトウェアとして当該ハードウェア装置に常駐するデータの組合せとして知られている。ハードウェアの例としては、集積回路、半導体集積回路素子又はシリコンチップとして知られている、アナログ回路、デジタル回路及び混在回路等が考えられる。電子回路システムの例としては、システムオンチップ（ＳＯＣ）、システム・イン・パッケージ（ＳｉＰ）、コンピュータオンモジュール（ＣＯＭ）及び通信装置２０等が考えられる。
【００８９】
以上をまとめると、本発明の実施形態によれば、マクロセルＢＳのセキュリティ機能を処理する方法が提供される。本発明の実施形態によれば、セキュリティキー及びセキュリティアルゴリズムは、マクロセルＢＳが、低出力ＢＳに対して指示する。このようにして、通信装置と低出力ＢＳのセルの間の送信及び／又は受信を保護することができる。追加的に、本発明の実施形態は、通信装置から低出力ＢＳのセルを解除する方法を提供する。当該解除の処理は、低出力ＢＳ又はマクロセルＢＳのどちらでも開始することができる。したがって、通信装置、マクロセルＢＳ及び低出力ＢＳの間の通信に対して問題を引き起こすことなく、当該セルを適切に解除することができる。
【００９０】
当業者は、本発明の教示を維持しつつ、本装置及び方法に対する様々な改良、変更を見出すであろう。従って、上記の開示は、添付の特許請求の範囲によってのみ、限定されると解釈すべきである。
【００９１】
[関連技術の相互参照]
本出願は、２０１３年２月２２日に出願された米国仮特許出願６１／７６８，３６３号の効果を主張するものであり、米国仮特許出願６１／７６８，３６３は、参照することにより、ここに援用される。
【図１】
0005851539.tif 000002
【図２】
0005851539.tif 000003
【図３】
0005851539.tif 000004
【図４】
0005851539.tif 000005
【図５】
0005851539.tif 000006
【図６】
0005851539.tif 000007
【図７】
0005851539.tif 000008
【図８】
0005851539.tif 000009
【図９】
0005851539.tif 000010
【図１０】
0005851539.tif 000011